(57)【要約】【課題】光源を所定位置に良好に取り付けることができるランプホルダ及びランプホルダ取付構造を実現する。【解決手段】ランプホルダ１０の支持基部１の両方の端部１１に設けられた第１係止部３１を所定の開口部５１に係入し、第２係止部３２を所定の貫通孔５２に押入することによって、ランプホルダ１０を液晶表示装置の所定箇所に係止して、そのランプホルダ１０が保持部２を介して保持する蛍光管２０を所定位置に取り付けることを可能にした。また、ランプホルダ１０が所定箇所に取り付けられたランプホルダ取付構造において、貫通孔５２に押入されて反対側から突き出た第２係止部３２の近傍に突起５３を設けて、その突起５３を第２係止部３２の外れ止めとすることによって、第２係止部３２が押されて、その第２係止部３２が貫通孔５２から押し出されてしまうことを防止することを可能にした。【選択図】図１
2008066031.tif 000002
【特許請求の範囲】
【請求項１】
支持基部と、前記支持基部の一方の面に設けられて光源を保持する保持部と、前記支持基部の他方の面に設けられて前記支持基部を所定箇所に係止する係止部と、を備えるランプホルダであって、
前記保持部は、少なくとも前記支持基部の両端部に設けられ、
前記係止部は、前記支持基部の両端部においてその支持基部の長手方向に沿い外側に向かって延在し、所定の開口部に係入される第１係止部と、前記支持基部の厚さ方向に突出する略楕円形状を呈する突部であって、所定の貫通孔に押入される弾性変形可能な第２係止部と、を有することを特徴とするランプホルダ。
【請求項２】
支持基部と、前記支持基部の一方の面に設けられて光源を保持する保持部と、前記支持基部の他方の面に設けられて前記支持基部を所定箇所に係止する係止部と、を備えるランプホルダであって、
前記保持部は、少なくとも前記支持基部の両端部に設けられ、
前記係止部は、前記支持基部の両端部においてその支持基部の長手方向に沿い外側に向かって延在し、所定の開口部に係入される第１係止部と、前記支持基部の厚さ方向に突出し、所定の貫通孔に押入される第２係止部と、を有することを特徴とするランプホルダ。
【請求項３】
前記第２係止部は、略楕円形状を呈する弾性変形可能な突部であることを特徴とする請求項２に記載のランプホルダ。
【請求項４】
請求項１〜３の何れか一項に記載のランプホルダが所定箇所に取り付けられたランプホルダ取付構造であって、
前記貫通孔に押入されて反対側から突き出た前記第２係止部の近傍に、その突き出た第２係止部に対応する長さの突起が設けられていることを特徴とするランプホルダ取付構造。
【発明の詳細な説明】
【技術分野】
【０００１】
本発明は、ランプホルダ及びランプホルダ取付構造に関する。
【背景技術】
【０００２】
従来、液晶表示装置のバックライトとして用いる蛍光管などの光源をランプホルダなどの支持部材で保持して、その支持部材を介して蛍光管（光源）を所定の位置に取り付ける技術が知られている（例えば、特許文献１〜４参照。）。
この支持部材の一方の面には蛍光管を保持する保持部が設けられており、他方の面には固定ピンなどの係止部が設けられている。そして、この係止部を液晶表示装置のフレームや装着板などに形成された貫通孔などの開口に押し込むことで支持部材が液晶表示装置に対して固定されるので、その支持部材の保持部に保持される蛍光管を液晶表示装置の所定の位置に取り付けることができるようになっている。
【特許文献１】特開２００６−３７３２号公報
【特許文献２】特開２００５−２０８３１７号公報
【特許文献３】特開２００４−３４８１５０号公報
【特許文献４】特開２００３−３４６５４１号公報
【発明の開示】
【発明が解決しようとする課題】
【０００３】
しかしながら、上記従来技術の場合、図６（ａ）に示すように、保持部１０２と係止部１０３とが支持部材１０１における表裏の配置に設けられていると、係止部１０３を所定の貫通孔に押し込む際に保持部１０２に対応する部分を押圧しなければならないので押し込みにくく、また、押された保持部１０２が破損してしまうことがあるという問題があった。
そのため、支持部材１０１における保持部１０２と係止部１０３の配置が表裏に対応しないようにずらして設けることがあるが、図６（ｂ）に示すように、支持部材１０１の長手方向端部側に保持部１０２を設けなけばならない場合に、係止部１０２を支持部材１０１の長手方向の内側にずらした位置に設けると、支持部材１０１の端部の安定性が悪く、蛍光管（光源）２０を好適に支持することができないことがあるという問題があった。
また、図６（ｃ）に示すように、支持部材１０１の長手方向端部側に保持部１０２を設けなけばならない場合に、係止部１０３を支持部材１０１の長手方向の外側にずらした位置に設けるためには、その係止部１０３のために支持部材１０１を長く（大きく）する必要があるので、その分の製造コストが上がってしまうという問題があった。
【０００４】
本発明の目的は、光源を所定位置に良好に取り付けることができるランプホルダ及びランプホルダ取付構造を提供することである。
【課題を解決するための手段】
【０００５】
以上の課題を解決するため、請求項１に記載の発明は、
支持基部と、前記支持基部の一方の面に設けられて光源を保持する保持部と、前記支持基部の他方の面に設けられて前記支持基部を所定箇所に係止する係止部と、を備えるランプホルダであって、
前記保持部は、少なくとも前記支持基部の両端部に設けられ、
前記係止部は、前記支持基部の両端部においてその支持基部の長手方向に沿い外側に向かって延在し、所定の開口部に係入される第１係止部と、前記支持基部の厚さ方向に突出する略楕円形状を呈する突部であって、所定の貫通孔に押入される弾性変形可能な第２係止部と、を有することを特徴とする。
【０００６】
請求項２に記載の発明は、
支持基部と、前記支持基部の一方の面に設けられて光源を保持する保持部と、前記支持基部の他方の面に設けられて前記支持基部を所定箇所に係止する係止部と、を備えるランプホルダであって、
前記保持部は、少なくとも前記支持基部の両端部に設けられ、
前記係止部は、前記支持基部の両端部においてその支持基部の長手方向に沿い外側に向かって延在し、所定の開口部に係入される第１係止部と、前記支持基部の厚さ方向に突出し、所定の貫通孔に押入される第２係止部と、を有することを特徴とする。
【０００７】
請求項３に記載の発明は、請求項２に記載のランプホルダにおいて、
前記第２係止部は、略楕円形状を呈する弾性変形可能な突部であることを特徴とする。
【０００８】
請求項４に記載の発明は、
請求項１〜３の何れか一項に記載のランプホルダが所定箇所に取り付けられたランプホルダ取付構造であって、
前記貫通孔に押入されて反対側から突き出た前記第２係止部の近傍に、その突き出た第２係止部に対応する長さの突起が設けられていることを特徴とする。
【発明の効果】
【０００９】
請求項１に記載の発明によれば、ランプホルダは、ランプホルダの支持基部の両端部に設けられた第１係止部を所定の開口部に係入し、第２係止部を所定の貫通孔に押入することによって、ランプホルダを所定箇所に係止させることができ、そのランプホルダが保持する光源を所定の位置に取り付けることができる。
この第１係止部を支持基部の長手方向の外側に向かって開口部に係入する際には、支持基部の両端部に設けられている保持部に触れなくても第１係止部を開口部に係入することが可能なので、ランプホルダの取り付けの際に保持部を強く押してしまうなどして保持部を破損してしまうことを低減することができる。なお、第２係止部が設けられた支持基部の反対側の面に保持部を設けないようにすることで、保持部に触れないように第２係止部を貫通孔に押入することができるので、同様に保持部の破損を低減することができる。
【００１０】
そして、この支持基部の両端部に光源を保持する保持部が設けられているので、支持基部の長さ範囲を有効に活用、利用して光源を所定位置に配することができる。
特に、所定の開口部に係入する第１係止部が設けられた支持基部の両端部に光源を保持する保持部が設けられているので、支持基部の端部であっても安定した状態で光源を所定位置に良好に取り付けることができる。
【００１１】
また、ランプホルダの第２係止部は、略楕円形状を呈する弾性変形可能な突部であるので、所定の貫通孔に押し込まれる際に、略楕円形状が細く潰されるように変形しつつ貫通孔を抜け出る。そして、第２係止部が貫通孔の反対側に突き出ると、元の形状に復元して略楕円形状に戻り、貫通孔の径より大きくなり抜け難くなる。
このような第２係止部を有するランプホルダは所定箇所に取り付けやすく、また外れ難くなっているので、そのランプホルダが保持する光源を所定位置に良好に取り付けることを可能にする。
【００１２】
よって、このランプホルダは、光源を所定位置に良好に取り付けることができる機能を有するといえる。
【００１３】
請求項２に記載の発明によれば、ランプホルダは、ランプホルダの支持基部の両端部に設けられた第１係止部を所定の開口部に係入し、第２係止部を所定の貫通孔に押入することによって、ランプホルダを所定箇所に係止させることができ、そのランプホルダが保持する光源を所定の位置に取り付けることができる。
この第１係止部を支持基部の長手方向の外側に向かって開口部に係入する際には、支持基部の両端部に設けられている保持部に触れなくても第１係止部を開口部に係入することが可能なので、ランプホルダの取り付けの際に保持部を強く押してしまうなどして保持部を破損してしまうことを低減することができる。なお、第２係止部が設けられた支持基部の反対側の面に保持部を設けないようにすることで、保持部に触れないように第２係止部を貫通孔に押入することができるので、同様に保持部の破損を低減することができる。
【００１４】
そして、この支持基部の両端部に光源を保持する保持部が設けられているので、支持基部の長さ範囲を有効に活用、利用して光源を所定位置に配することができる。
特に、所定の開口部に係入する第１係止部が設けられた支持基部の両端部に光源を保持する保持部が設けられているので、支持基部の端部であっても安定した状態で光源を所定位置に良好に取り付けることができる。
よって、このランプホルダは、光源を所定位置に良好に取り付けることができる機能を有するといえる。
【００１５】
請求項３に記載の発明によれば、請求項２に記載の発明と同様の効果が得られることは無論のこと、ランプホルダの第２係止部は、略楕円形状を呈する弾性変形可能な突部であるので、所定の貫通孔に押し込まれる際に、略楕円形状が細く潰されるように変形しつつ貫通孔を抜け出る。そして、第２係止部が貫通孔の反対側に突き出ると、元の形状に復元して略楕円形状に戻り、貫通孔の径より大きくなり抜け難くなる。
このような第２係止部を有するランプホルダは所定箇所に取り付けやすく、また外れ難くなっているので、そのランプホルダが保持する光源を所定位置に良好に取り付けることを可能にする。
【００１６】
請求項４に記載の発明によれば、ランプホルダが所定箇所に取り付けられたランプホルダ取付構造において、貫通孔に押入されて反対側から突き出た第２係止部の近傍に、その突き出た第２係止部に対応する長さの突起が第２係止部の周囲を覆うように設けられているので、その突き出た第２係止部の付近に対して、その第２係止部を押し返すような作用が加わることがあっても、その作用が第２係止部に加わる際には突起にもその作用が加わり易くなっており、第２係止部のみに作用力が及びにくくなっている。
つまり、ランプホルダを所定箇所に取り付けた後に、例えば、作業者の手がその第２係止部付近を押してしまうことがあっても、その手は第２係止部とともに突起に当接することとなるので、第２係止部のみが押されて、その第２係止部が貫通孔から押し出されてしまうことを防止することができる。
このように、このランプホルダ取付構造において、突起が第２係止部の外れ止めになっているため、ランプホルダを所定箇所に取り付けた後、そのランプホルダは外れ難くなっているので、より確実にランプホルダを所定箇所に固定することができ、光源を所定位置に配することができる。
【発明を実施するための最良の形態】
【００１７】
以下に、本発明に係るランプホルダ及びランプホルダ取付構造について、図面を用いて具体的な態様を説明する。ただし、発明の範囲は図示例に限定されない。
なお、ランプホルダは、液晶表示装置のバックライトとして用いる蛍光管を保持して、その蛍光管を所定の位置に取り付けるための部材である。
【００１８】
ランプホルダ１０は、図１、図２に示すように、細長い板状の支持基部１と、支持基部１の一方の面である上面１ａに設けられている保持部２と、支持基部１の他方の面である下面１ｂに設けられている第１係止部３１と第２係止部３２を有する係止部３と、支持基部１の上面１ａに設けられているスペーサ４と、を備えている。
このランプホルダ１０は、ポリプロピレン、ポリエチレンなどの樹脂からなり、樹脂の一体成型によって各部が一体に形成されている。
【００１９】
支持基部１は、全体の中でやや幅の広い端部１１と中央部１２を有しており、支持基部１の両端である端部１１の下面１ｂ側に第１係止部３１が設けられ、中央部１２の下面１ｂ側に第２係止部３２が設けられている。
また、支持基部１の上面１ａ側に複数（本実施形態では６つ）の保持部２が設けられている。特に、支持基部１の両端である端部１１に保持部２は設けられている。
なお、支持基部１は比較的軟らかい樹脂からなるため、その厚さ方向に変形する可撓性を有している。
【００２０】
保持部２は、光源である蛍光管２０を把持することが可能な略Ｃ字形状を呈する間隙を有しており、保持部２はその間隙に挿入された蛍光管２０を保持する。
特に、本発明に係るランプホルダ１０の保持部２は、支持基部１の両端である端部１１に設けられるとともに、その両端部から等間隔に複数の保持部２が配設されるので、蛍光管２０を支持基部１の上面１ａ側に均等に配することが可能になっている。
【００２１】
係止部３は、支持基部１の両端部（各端部１１）においてその支持基部１の長手方向に沿い外側に向かって延在する第１係止部３１と、支持基部１の長さ方向略中央においてその支持基部１の厚さ方向に突出する第２係止部３２と、を有している。
この係止部３である第１係止部３１が所定の開口部（例えば、後述するフレーム板５０の開口部５１）に係入され、第２係止部３２が所定の貫通孔（例えば、後述するフレーム板５０の貫通孔５２）に押入されることで、支持基部１が液晶表示装置の所定箇所に係止されて、ランプホルダ１０が所定箇所に固定されるようになっている。
【００２２】
第１係止部３１は、支持基部１の両端側の下面１ｂに形成された側面視略Ｌ字形状を呈する突部であって、その先端部を長さ方向外側に向けて延出している。
【００２３】
第２係止部３２は、支持基部１の中央側の下面１ｂに形成された側面視略楕円形状を呈する環状の突部である。特に、第２係止部３２は比較的軟らかい樹脂により成型されているため、その略楕円の環形状が変形するような可撓性を有しており、第２係止部３２は弾性変形可能となっている。
なお、第２係止部３２が設けられた支持基部１（中央部１２）の下面１ｂに対応する支持基部１（中央部１２）の上面１ａには、保持部２は形成されないようになっている。
【００２４】
スペーサ４は、略円錐形状を呈する突部であって、保持部２より高く形成されている。
このスペーサ４は、ランプホルダ１０が固定された後述するフレーム板５０を液晶表示装置内に設置した際に、ランプホルダ１０の支持基部１の上面１ａ側に配置される拡散板などがフレーム板５０に近接することを防止するためのものであって、その拡散板などがランプホルダ１０の保持部２が保持する蛍光管２０と接触して、蛍光管２０が破損しないように拡散板などを押さえる機能を有している。
【００２５】
フレーム板５０は、液晶表示装置内に配される部材であって、例えば、薄い金属板からなる部材である。
フレーム板５０は、図３に示すように、１つのランプホルダ１０を取り付けるための２つの開口部５１と、それら開口部５１間に位置する１つの貫通孔５２と、その貫通孔５２を挟んだ両側に位置する２つの突起５３とを備えている。
このフレーム板５０に、開口部５１、貫通孔５２、突起５３が形成された位置がランプホルダ１０を取り付ける所定箇所となっている。
開口部５１は、矩形状を呈しており、第１係止部３１が挿入される穴である。
貫通孔５２は、円形状を呈しており、第２係止部３２が挿入される穴である。
突起５３は、フレーム板５０の一部が略コ字形状に切り込まれた内側の切片がフレーム板５０の裏面に略垂直に折り返されてなる突片である。この突起５３の先端部までの長さは、第２係止部３２の長さ、特に、貫通孔５２に押入されて裏面から突き出た第２係止部３２の長さと略同じ長さを有している。
【００２６】
次に、ランプホルダ１０を液晶表示装置のフレーム板５０に取り付ける手順について説明する。
【００２７】
まず、ランプホルダ１０の支持基部１を撓ませつつ、支持基部１の両端に設けられた第１係止部３１を、フレーム板５０の表面側からそれぞれの開口部５１に挿入する。
そして、支持基部１の形状を復元させることで、支持基部１の両端部（端部１１）が支持基部１の長手方向に沿って互いに離間する方向に押し広がり、第１係止部３１を開口部５１に係入する。
なお、この際、支持基部１における第２係止部３２は、その先端部をフレーム板５０の貫通孔５２に宛がった状態となっている。
【００２８】
次いで、支持基部１の中央部１２の上面１ａを押圧し、その中央部１２をフレーム板５０に対して押し付けるようにして、フレーム板５０の貫通孔５２部分に宛がわれた状態の第２係止部３２を、フレーム板５０の表面側からその貫通孔５２に押し込む。
そして、第２係止部３２は、その略楕円形状が細く潰されるように変形しつつ貫通孔５２を抜けて、フレーム板５０の反対側である裏面側に突き出される。このフレーム板５０の裏面側に突き出された第２係止部３２は復元して略楕円形状に戻ることで、貫通孔５２の径より大きくなり抜け難くなって、貫通孔５２に押入された状態となる。
【００２９】
このように、ランプホルダ１０の両端側の第１係止部３１が開口部５１に係入され、ランプホルダ１０の中央側の第２係止部３２が貫通孔５２に押入されることによって、図４に示すように、ランプホルダ１０がフレーム板５０の表面に取り付けられる。
そして、フレーム板５０の裏面側に突き出た第２係止部３２の近傍には、図４に示すように、その突き出た第２係止部３２に対応する長さであって、第２係止部３２の長さと略同じ長さの突起５３が、第２係止部３２の周囲を覆うように設けられている。
【００３０】
このランプホルダ１０がフレーム板５０の所定箇所に取り付けられた、図４に示すようなランプホルダ取付構造において、フレーム板５０の裏面側に突き出た第２係止部３２の付近に対して、その第２係止部３２をフレーム板５０の裏面側から表面側に押し返すような作用が加わることがあっても、第２係止部３２の近傍にはその第２係止部３２の長さと略同じ長さの突起５３が設けられていることによって、その作用が第２係止部３２に加わる際には突起５３にもその作用が加わり易くなっており、第２係止部３２のみに作用力が及びにくくなっている。
具体的には、ランプホルダ１０をフレーム板５０の所定箇所に取り付けた後、作業者の手が第２係止部３２を押してしまうように作用したり、ランプホルダ１０を取り付けたフレーム板５０を作業台に置いた際に、その作業台などが第２係止部３２を押してしまうように作用したりすることがあっても、作業者の手や作業台などは第２係止部３２とともに突起５３に当接することとなるので、第２係止部３２のみを押して、その第２係止部３２が貫通孔５２から押し出されてしまうようなことはない。
つまり、突起５３が第２係止部３２の外れ止めになっているため、ランプホルダ１０をフレーム板５０の所定箇所に取り付けた後、そのランプホルダ１０は外れ難くなっているので、より確実にランプホルダ１０をフレーム板５０に固定することができる。
【００３１】
また、ランプホルダ１０をフレーム板５０の所定箇所に取り付けた際、第１係止部３１が開口部５１に係入することによって、支持基部１の両端部（端部１１）が互いに離間する方向に突っ張るようにして、ランプホルダ１０をフレーム板５０に固定されるので、ランプホルダ１０はがたつき難くフレーム板５０に固定される。
【００３２】
このようなランプホルダの取付構造によって、図５に示すように、２つのランプホルダ１０をフレーム板５０の所定箇所に取り付けて、並列に配置した各ランプホルダ１０の保持部２に蛍光管２０を掛け渡すようにして、複数（本実施形態では６本）の蛍光管２０を所定の位置に取り付けることができる。
そして、ランプホルダ１０を介して蛍光管２０が取り付けられたフレーム板５０が、液晶表示装置内に設置されて、液晶表示装置のバックライトとして用いられる。
【００３３】
このように、本発明に係るランプホルダ１０は、ランプホルダ１０の支持基部１の両端の端部１１に設けられた第１係止部３１と、支持基部１の中央部１２に設けられた第２係止部３２とによって、フレーム板５０にしっかりと安定した状態で固定されるランプホルダ取付構造をとることができる。
【００３４】
特に、フレーム板５０の開口部５１に係入する第１係止部３１が設けられた端部１１の上面１ａに蛍光管２０を保持する保持部２が設けられているので、支持基部１の端部１１であっても、安定した状態で蛍光管２０を所定位置に良好に取り付けることができる。
また、フレーム板５０の貫通孔５２に押入する第２係止部３２が設けられた中央部１２の上面１ａには、保持部２が設けられていないので、その中央部１２の上面１ａを押圧して、第２係止部３２を貫通孔５２に好適に押し込むことができる。
そして、第１係止部３１を開口部５１に係入する際や、第２係止部３２を貫通孔５２に押入する際に、保持部２に強く触れることはないので、ランプホルダ１０の取り付ける過程で保持部２を破損してしまうことなく、好適にランプホルダ１０をフレーム板５０に取り付けることができる。
【００３５】
また、このランプホルダ取付構造において、フレーム板５０の突起５３が第２係止部３２の外れ止めになっているため、ランプホルダ１０をフレーム板５０の所定箇所に取り付けた後、そのランプホルダ１０は外れ難くなっているので、より確実にランプホルダ１０をフレーム板５０に固定することができる。
【００３６】
このように、ランプホルダ１０は、液晶表示装置内に設置されるフレーム板５０の所定箇所に安定した状態で固定されるランプホルダ取付構造をとることによって、保持部２に保持する蛍光管２０を液晶表示装置における所定位置に良好に取り付けることができる。
よって、このランプホルダ１０及びランプホルダ取付構造は、蛍光管２０を所定位置に良好に取り付けることができる機能を有する。
【００３７】
なお、以上の実施の形態においては、第２係止部３２を支持基部１の中央部１２の１箇所に設けたランプホルダ１０を例に挙げて説明したが、本発明はこれに限定されるものではなく、第２係止部３２は、その支持基部１の上面１ａに保持部２が設けられていない支持基部１の下面１ｂであれば、任意の位置に設けるようにしてもよい。そして、その第２係止部３２に応じた貫通孔５２をフレーム板５０に形成すればよい。
【００３８】
また、以上の実施の形態においては、ランプホルダ１０を液晶表示装置のフレーム板５０に取り付けて固定する場合を例に挙げて説明したが、本発明はこれに限定されるものではなく、ランプホルダ１０は液晶表示装置内に設置される他の部材に取り付けるようにしてもよい。
【００３９】
また、その他、具体的な細部構造等についても適宜に変更可能であることは勿論である。
【図面の簡単な説明】
【００４０】
【図１】本発明に係るランプホルダを示す側面図である。
【図２】本発明に係るランプホルダを示す上面図であって、図１の矢印II側から平面視した図である。
【図３】ランプホルダが取り付けられるフレーム板を示す平面図である。
【図４】ランプホルダが固定されたフレーム板の裏面を示す斜視図である。
【図５】ランプホルダが固定されたフレーム板の表面を示す斜視図であって、蛍光管が保持部に取り付けられた状態を示している。
【図６】従来の支持部材を示す説明図であり、保持部と係止部の配置が表裏に対応するもの（ａ）、係止部を支持部材の長手方向の内側にずらしたもの（ｂ）、係止部を支持部材の長手方向の外側にずらしたもの（ｃ）、である。
【符号の説明】
【００４１】
１      支持基部
１ａ    上面（一方の面）
１ｂ    下面（他方の面）
１１    端部（両端部）
１２    中央部
２      保持部
３      係止部
３１    第１係止部
３２    第２係止部
４      スペーサ
１０    ランプホルダ
２０    蛍光管（光源）
５０    フレーム板
５１    開口部
５２    貫通孔
５３    突起
【図１】
2008066031.tif 000003
【図２】
2008066031.tif 000004
【図３】
2008066031.tif 000005
【図４】
2008066031.tif 000006
【図５】
2008066031.tif 000007
【図６】
2008066031.tif 000008